(57)【要約】【課題】複数の態様での使用が可能である商品陳列用具を提供すること。【解決手段】商品陳列用具（１０）は、板状の本体（１２）と、本体にこれと角度をなして連なりかつ互いに平行な板状の第１の側部（１４）及び第２の側部（１６）と、第１の側部から伸びかつ第２の側部と反対の側に向けて湾曲する少なくとも１つの第１の舌部（１８）と、本体と前記第２の側部との境界線上に設けられたスリット（２０）とを含む。商品陳列用具及びこれと同一の他の商品陳列用具は、互いに、第１の舌部（１８）がスリット（２０）に挿通され第２の側部（１６）に係止可能であり、これにより全体に四角形の横断面形状を有する組立体（２４）とすることが可能である。【選択図】図１
0003104444.tif 000002
【実用新案登録請求の範囲】
【請求項１】
商品陳列用具であって、板状の本体と、該本体にこれと角度をなして連なりかつ互いに平行な板状の第１の側部及び第２の側部と、前記第１の側部の先端から伸びかつ前記第２の側部と反対の側に向けて湾曲する少なくとも１つの第１の舌部と、前記本体と前記第２の側部との境界線上に設けられたスリットとを含み、
前記商品陳列用具及びこれと同一の他の商品陳列用具は、互いに、前記第１の舌部が前記スリットに挿通され前記第２の側部に係止可能であり、これにより全体に四角形の横断面形状を有する組立体とすることが可能である、商品陳列用具。
【請求項２】
前記第１の舌部は、複数の凹所が設けられた商品陳列板の前記凹所の１つに挿入可能である、請求項１に記載の商品陳列用具。
【請求項３】
さらに、前記第２の側部の先端から伸びかつ前記第１の側部と反対の側に向けて湾曲する少なくとも１つの第２の舌部を含む、請求項１に記載の商品陳列用具。
【請求項４】
前記第１の舌部及び前記第２の舌部の少なくとも一方は、複数の凹所が設けられた商品陳列板の前記凹所の一つに挿入可能である、請求項３に記載の商品陳列用具。
【請求項５】
商品陳列用具であって、板状の本体と、該本体にこれと角度をなして連なりかつ互いに平行な板状の第１の側部及び第２の側部と、前記第１の側部の先端から伸びる少なくとも１つの第１の舌部と、前記第２の側部に近接して前記本体から伸びる板状部とを含み、
前記商品陳列用具及びこれと同一の他の商品陳列用具は、互いに、前記第１の舌部が前記第２の側部と前記板状部との間に挿入されこれらに係止可能であり、これにより全体に四角形の横断面形状を有する組立体とすることが可能である、商品陳列用具。
【請求項６】
前記第１の舌部は、複数の凹所が設けられた商品陳列板の前記凹所の１つに挿入可能である、請求項５に記載の商品陳列用具。
【請求項７】
さらに、前記第２の側部の先端から伸びる少なくとも１つの第２の舌部を含む、請求項５に記載の商品陳列用具。
【請求項８】
前記第１の舌部及び前記第２の舌部の少なくとも一方は、複数の凹所が設けられた商品陳列板の前記凹所の一つに挿入可能である、請求項７に記載の商品陳列用具。
【考案の詳細な説明】
【技術分野】
【０００１】
本考案は、スーパーマーケットのような店舗において、商品を陳列するために用いられる商品陳列用具に関する。
【背景技術】
【０００２】
従来、互いに角度をなして連なる２つの板状部と、各板状部に連なる少なくとも１つの舌部とを含む商品陳列用具が提案されている（特許文献１）。
【０００３】
【特許文献１】特開２００２−５８５７１号公報
【考案の開示】
【考案が解決しようとする課題】
【０００４】
これによれば、２つの舌部を、それぞれ、溝のような複数の凹所が設けられた商品陳列板の２つの凹所に差し込むことにより、両舌部に連なる２つの板状部を商品載置面として、ここに生鮮食料品のような商品を載置し、陳列することができる。
【０００５】
ところで、前記従来の商品陳列用具は前記商品陳列板との関係において使用されるが、これを前記商品陳列板を離れた独自の使用に供することができれば、他の特別な商品陳列用具を準備することなしに、さらに他の態様による商品陳列を行うことができると考えられる。
【０００６】
本考案目的は、複数の態様での使用が可能である商品陳列用具を提供することにある。
【課題を解決するための手段】
【０００７】
本考案に係る商品陳列用具は、板状の本体と、該本体にこれと角度をなして連なりかつ互いに平行な板状の第１の側部及び第２の側部と、前記第１の側部の先端から伸びかつ前記第２の側部と反対の側に向けて湾曲する少なくとも１つの第１の舌部と、前記本体と前記第２の側部との境界線上に設けられたスリットとを含み、前記商品陳列用具及びこれと同一の他の商品陳列用具は、互いに、前記第１の舌部が前記スリットに挿通され前記第２の側部に係止可能であり、これにより全体に四角形の横断面形状を有する組立体とすることが可能である。
【０００８】
前記第１の舌部は、複数の凹所が設けられた商品陳列板の前記凹所の１つに挿入可能であるものとすることができる。前記商品陳列用具は、さらに、前記第２の側部の先端から伸びかつ前記第１の側部と反対の側に向けて湾曲する少なくとも１つの第２の舌部を含むものとすることができ、また、前記第１の舌部及び前記第２の舌部の少なくとも一方が、前記商品陳列板の凹所の一つに挿入可能とすることができる。
【０００９】
本考案に係る他の商品陳列用具は、商品陳列用具であって、板状の本体と、該本体にこれと角度をなして連なりかつ互いに平行な板状の第１の側部及び第２の側部と、前記第１の側部の先端から伸びる少なくとも１つの第１の舌部と、前記第２の側部に近接して前記本体から伸びる板状部とを含み、前記商品陳列用具及びこれと同一の他の商品陳列用具は、互いに、前記第１の舌部が前記第２の側部と前記板状部との間に挿入されこれらに係止可能であり、これにより全体に四角形の横断面形状を有する組立体とすることが可能である。
【００１０】
この商品陳列用具についても、前記第１の舌部が前記商品陳列板の凹所の１つに挿入可能であるものとすることができる。また、前記第２の側部の先端から伸びる少なくとも１つの第２の舌部を含むものとし、前記第１の舌部及び前記第２の舌部の少なくとも一方が前記商品陳列板の凹所の一つに挿入可能であるものとすることができる。
【考案の効果】
【００１１】
本考案によれば、商品陳列用具は、その第１の舌部とその第２の側部とを介して商品陳列台や商品陳列板の上に載置し、その本体又は第１の側部上に商品を載せて商品を陳列する単独使用に供することができるほか、同一の２つの商品陳列用具を用いて、前記第１の舌部を前記スリットに挿通し、前記第２の側部に係止させることにより、全体に四角形の横断面形状を有する組立体を形成し、これを商品陳列の用に供することができる。前記組立体は、これを前記商品陳列台や冷蔵ショーケースの棚の上におくことができ、これにより、いわゆるアンコと称される商品の嵩上げ手段とすることができる。
【００１２】
本考案に係る他の商品陳列用具にあっては、同一の２つの他の商品陳列用具を用いて、互いに、これらの第１の舌部を第２の側部と板状部との間に挿入しこれらに係止させることにより、前記したと同様の組立体とすることができ、これを前記アンコとしての使用に供することができる。
【００１３】
本考案に係るいずれの商品陳列用具においても、前記第１の舌部又は前記第２の側部に連なる第２の舌部は、これを前記商品陳列板に設けられた凹所に差し込むことにより、前記商品陳列板上、特に傾斜状態におかれた場合の前記商品陳列板上に保持することができる。
【考案を実施するための最良の形態】
【００１４】
図１及び図２を参照すると、本考案に係る商品陳列用具が全体に符号１０で示されている。
【００１５】
商品陳列用具１０は、例えばプラスチック材料で形成され、板状の本体１２と、該本体にこれと角度をなして連なる板状の第１の側部及び板状の第２の側部であって互いに平行な第１の側部１４及び第２の側部１６とを備える。
【００１６】
図示の例では、本体１２、第１の側部１４及び第２の側部１６はそれぞれ矩形の平面形状を有し、本体１２が最も大きい表面積を有し、第１の側部１４及び第２の側部１６が順次これに次ぐ。また、本体１２と第１の側部１４とが鋭角をなし、本体１２と第２の側部１６とが鈍角をなしている。本体１２、第１の側部１４及び第２の側部１６の各表面積は任意の大きさに設定することができる。また、本体１２と第１の側部１４との成す角度及び本体１２と第２の側部１６との成す角度についても、それぞれ、任意の大きさに定めることができる。
【００１７】
商品陳列用具１０は、さらに、２つの第１の舌部１８と２つのスリット２０とを備える。好ましくは、さらに、２つの第２の舌部２２を備える。
【００１８】
互いに間隔をおいて配置された第１の両舌部１８は、それぞれ、第１の側部１４の先端から伸び、第２の側部１６と反対の側へ湾曲している。第２の両舌部２２もまた互いに間隔をおいて配置され、第２の側部１６の先端から伸び、第１の側部１４と反対の側へ湾曲している。したがって、第１の舌部１８と第２の舌部２２とは互いに反対側に向けて湾曲している。また、第１の両舌部１８と第２の両舌部２２とは互いに相対している。第１の舌部１８及び第２の舌部２２は、それぞれの数量について、２つとする図示の例に代えて、１又は３以上とすることができる。
【００１９】
２つのスリット２０は、本体１２と第２の側部１６との境界線上に互いに間隔をおいて設けられている。図示の例では、各スリット２０は、前記境界線の伸長方向に関する第１の舌部１８及び第２の舌部２２の配置位置と同じ位置に配置され、また前記境界線の伸長方向に関する第１の舌部１８の長さ寸法及び第２の舌部２２の長さ寸法のそれぞれと同一の長さ寸法を有する。さらに、各スリット２０は各第１の舌部１８の厚さ寸法よりわずかに小さい幅寸法を有する。
【００２０】
これらのことから、２つの商品陳列用具１０を準備し、これらを互いに組み合わせることにより１の組立体２４を得ることができる（図３）。組立体２４は、２つの商品陳列用具１０の内側からこれらの第１の舌部１８をこれらのスリット２０にそれぞれ挿通させることにより形成される。スリット２０を通され商品陳列用具１０の外側へ突出した湾曲形状の第１の舌部１８は、互いに他の一方の商品陳列用具１０の第２の側部１６に係止することから、組立体２４の組立状態が維持される。
【００２１】
この組立体２４は、全体に四角形、図示の例では平行四辺形の横断面形状を有すること、すなわち全体にブロック状を呈することから、これを単独で又はその複数個を並べて、店舗内に設置される陳列台、陳列棚、冷蔵ショーケース等に陳列される商品の見やすさ、豊富さ等を演出するためのいわゆるアンコとしての使用に供することができる。
【００２２】
また、図４に示すように、複数の商品陳列用具１０を準備し、これらを商品陳列台２６上に並べかつ互いに連結した態様で使用することができる。
【００２３】
図示の例では、互いに隣接する両商品陳列用具１０の一方の第１の舌部１８が、他方の商品陳列用具の上方からそのスリット２０に差し込まれ下方へ伸びている。この状態において、第１の舌部１８はスリット２０を第２の側部１６と平行にではなくこれと交差するように貫通する。このため、第１の舌部１８に連なる第１の側部１４が本体１２と第２の側部１６とに係止し、第１の舌部１８のそれ以上の下降が阻止される。このとき、湾曲した第２の舌部２２は本体１２を商品陳列台２６上に安定的に支える作用をなす。その結果、単一の商品陳列用具１０を使用する場合と比べて、本体１２の傾斜をより大きいものとし、また、第１の側部１４を、本体１２上に載置された商品、例えばパック詰め商品２８の滑動を止めるためのストッパとして機能させることができる。
【００２４】
図示の例とは逆に、互いに隣接する２つの商品陳列用具１０について、これらの一方の第２の舌部２２を他方のスリット２０に差し込んだ態様での使用に供することができる（図示せず）。
【００２５】
さらに、図５に示すように、商品陳列用具１０を陳列板３０上に配置する態様で使用することができる。
【００２６】
陳列板３０はその表面に開放する複数の凹所、図示の例では互いに平行な溝３２を有する。商品陳列用具１０は、陳列板３０上に載置され、その第１の舌部１８のみが１の溝３２に挿入され、その第２の舌部２２は他の溝３２のいずれにも挿入されず、溝３２相互間において陳列板３０の表面に載る。これによれば、商品陳列用具１０の本体１２の傾きの程度をわずかに緩和した状態で使用することができる。本体１２上には例えば生鮮食料品のような商品３４を載せて陳列することができる。
【００２７】
次に図６〜図８を参照すると、本発明の他の例に係る商品陳列用具が全体に符号４０で示されている。
【００２８】
この商品陳列用具４０は、図１〜図５に示す商品陳列用具１０とほぼ同様の構成要素からなる。説明の重複を避けるため、同様の構成要素には、商品陳列用具１０の構成要素に付した符号と同一の符号を付すにとめ、異なる構成要素についてのみ説明を付する。
【００２９】
商品陳列用具４０は、商品陳列用具１０と同様に、板状の本体１２、第１の側部１４及び第２の側部１６を備える。また、同様に、第１の側部１４の先端から伸びる２つの第１の舌部４２と、第２の側部の先端から伸びる２つの第２の舌部４４とを備える。ただし、第１の舌部４２及び第２の舌部４４のいずれもが、商品陳列用具１０におけると異なり、湾曲しておらず真っ直ぐに伸びる板状体からなる。また、第１の舌部４２及び第２の舌部４４は、商品陳列用具１０におけると同様、それぞれの数量について、２つとする図示の例に代えて、１又は３以上とすることができる。
【００３０】
また、商品陳列用具４０は、商品陳列用具１０におけるスリット２０を有しない。その代わりに、第２の側部１６に近接して本体１２から伸びる板状部４６を有する。
【００３１】
図示の例では、板状部４６は第１及び第２の側部１４，１６間にあって、第２の側部１６と平行に伸びている。板状部４６と第２の側部４４との間の距離は、板状の第１の舌部４２の厚さ寸法と同じか、あるいはわずかに小さい寸法に設定される。板状部４６は、第２の側部１６とほぼ同じ長さ寸法を有するものとすることができる。
【００３２】
また、商品陳列用具１０における組立体２４と同様、２つの商品陳列用具４０を組み合わせて１つの組立体４８を形成することができる。異なるところは、組立体２４ではその第１の舌部１８がスリット２０に通されるところ、このようなスリットを有しない商品陳列用具４０にあっては、一方の商品陳列用具４０の第１の舌部４２を他方の商品陳列用具４０の板状部４６と第２の側部４４との間に差込みこれらに係止又は摩擦係合させ、これにより、両商品陳列用具の組立状態を維持するところにある。
【００３３】
なお、図示の例に代えて、第１及び第２の両舌部１４，１６の双方、並びに第１及び第２の両舌部４２，４４の双方が、それぞれ、陳列板３０における１の溝３２及び他の溝３２に差し込み可能であるように、これらの第１及び第２の両舌部の相互間隔の大きさを設定することができる。図中、符号５０は、商品陳列用具１０，４０の内側に設けられた複数の補強リブを示す。
【図面の簡単な説明】
【００３４】
【図１】本考案の一例に係る商品陳列用具の斜視図である。
【図２】図１示す商品陳列用具の異なる方向から見た斜視図である。
【図３】２つの商品陳列用具を用いて組み立てられた組立体の横断面図である。
【図４】商品陳列用具の使用例を示す横断面図である。
【図５】商品陳列用具の他の使用例を示す横断面図である。
【図６】他の例に係る商品陳列用具の平面図である。
【図７】図６に示す商品陳列用具の底面図である。
【図８】他の例に係る２つの商品陳列用具を用いて組み立てられた組立体の横断面図である。
【符号の説明】
【００３５】
１０，４０  商品陳列用具
１２  本体
１４，１６  第１の側部及び第２の側部
１８，２２  第１の舌部及び第２の舌部
２０  スリット
２４  組立体
４２，４４  第１の舌部及び第２の舌部
４６  板状部
４８  組立体
【図１】
0003104444.tif 000003
【図２】
0003104444.tif 000004
【図３】
0003104444.tif 000005
【図４】
0003104444.tif 000006
【図５】
0003104444.tif 000007
【図６】
0003104444.tif 000008
【図７】
0003104444.tif 000009
【図８】
0003104444.tif 000010